(57)【要約】      （修正有）【課題】いずれの寝姿でも身体へのフィット性及び保温性が良好な羽毛掛布団を提供する。【解決手段】布団本体２は、一端側の幅方向中央部に設けた就寝者Ｍの頭部が入り込むネック部３と、ネック部３の両側で、長さ方向全体にわたって設けた一対の中央縦キルト線１１ａ、１１ｂにより画されその内部にダウン羽毛からなる充填材を内蔵した縦長中央部４と、一対の中央縦キルト線１１ａ、１１ｂの幅方向の両側に各々一定の間隔を隔てて長さ方向全体にわたって設けた一対の側部縦キルト線１２ａ、１２ｂにより画されるとともにその内部にフェザー羽毛からなる充填材を内蔵し、縦長中央部４の両側を占める一対の縦長側部５ａ、５ｂと、側部縦キルト線１２ａ、１２ｂと側辺部とにより画されるとともにその内部にフェザー羽毛からなる充填材を内蔵し、一対の縦長側部５ａ、５ｂの外側を占める一対の縦長側端部６ａ、６ｂと、を有するものである。【選択図】図１
2011130919.tif 000002
【特許請求の範囲】
【請求項１】
表生地、裏生地の周辺を縫結して袋状とし、内部に複数種の羽毛材からなる充填材を充填して全体として平面視長方形状を呈し、かつ、全体として膨らみを有するように構成した布団本体を具備する新規な羽毛掛布団であって、
前記布団本体は、
一端側の幅方向中央部に設けた就寝者の頭部が入り込むネック部と、
前記ネック部の両側で、長さ方向全体にわたって設けた一対の中央縦キルト線により画されその内部にダウン羽毛からなる充填材を内蔵した縦長中央部と、
前記一対の中央縦キルト線の幅方向の両側に各々一定の間隔を隔てて長さ方向全体にわたって設けた一対の側部縦キルト線により画されるとともにその内部にフェザー羽毛からなる充填材を内蔵し、前記縦長中央部の両側を占める一対の縦長側部と、
前記側部縦キルト線と側辺部とにより画されとともにその内部にフェザー羽毛からなる充填材を内蔵し、前記一対の縦長側部の外側を占める一対の縦長側端部と、
を有することを特徴とする新規な羽毛掛布団。
【請求項２】
表生地、裏生地の周辺を縫結して袋状とし、内部に複数種の羽毛材からなる充填材を充填して全体として平面視長方形状を呈し、かつ、全体として膨らみを有するように構成した布団本体を具備する新規な羽毛掛布団であって、
前記布団本体は、
一端側の幅方向中央部に設けた就寝者の頭部が入り込むＵ状又はＶ状のネック部と、
前記ネック部の両側で、長さ方向全体にわたって設けた一対の中央縦キルト線により画されその内部にダウン羽毛からなる充填材を内蔵するとともに、前記ネック部側から他方の短辺側に向けて入り込む複数のＵ状キルト線を設け複数箇所に分けた縦長中央部と、
前記一対の中央縦キルト線の幅方向の両側に各々一定の間隔を隔てて長さ方向全体にわたって設けた一対の側部縦キルト線により画されるとともにその内部にフェザー羽毛からなる充填材を内蔵し、前記縦長中央部の両側を占める一対の縦長側部と、
前記側部縦キルト線と側辺部とにより画されとともにその内部にフェザー羽毛からなる充填材を内蔵し、前記一対の縦長側部の外側を占める一対の縦長側端部と、
前記布団本体の両長辺部から両中央縦キルト線に至るように短辺方向に沿って、かつ、所定の間隔をもって複数本ずつ設けられ、前記両縦長側端部及び両縦長側部を長さ方向で各々複数箇所に分ける直線状キルト線と、
前記布団本体の短辺方向に向かって長辺から縦長側端部を経て縦長側部に入り込むように、かつ、長辺方向に所定の間隔をもって複数本ずつ設けた前記縦長中央部両側の幅方向Ｕ状キルト線と、
を有することを特徴とする新規な羽毛掛布団。
【請求項３】
表生地、裏生地の周辺を縫結して袋状とし、内部に複数種の羽毛材からなる充填材を充填して全体として平面視長方形状を呈し、かつ、全体として膨らみを有するように構成した布団本体を具備する新規な羽毛掛布団であって、
前記布団本体は、
一端側の幅方向中央部に設けた就寝者の頭部が入り込むＵ状又はＶ状のネック部と、
前記ネック部の両側で、長さ方向全体にわたって設けた一対の中央縦キルト線により画されその内部にホワイトダックダウン羽毛を主材とする充填材を内蔵するとともに、前記ネック部側から他方の短辺側に向けて入り込む３個のＵ状キルト線を設け４箇所に分けた縦長中央部と、
前記一対の中央縦キルト線の幅方向の両側に各々一定の間隔を隔てて長さ方向全体にわたって設けた一対の側部縦キルト線により画されるとともにその内部にスモールフェザー羽毛を主材とする充填材を内蔵し、前記縦長中央部の両側を占める一対の縦長側部と、
前記側部縦キルト線と側辺部とにより画されとともにその内部にスモールフェザー羽毛を主材とする充填材を内蔵し、前記一対の縦長側部の外側を占める一対の縦長側端部と、
前記布団本体の両長辺部から両中央縦キルト線に至るように短辺方向に沿って、かつ、所定の間隔をもって４本ずつ設けられ、前記両縦長側端部及び両縦長側部を長さ方向で各々５箇所に分ける直線状キルト線と、
前記布団本体の短辺方向に向かって長辺から縦長側端部を経て縦長側部に入り込むように、かつ、長辺方向に所定の間隔をもって７本ずつ設けた前記縦長中央部両側の幅方向Ｕ状キルト線と、
を有することを特徴とする新規な羽毛掛布団。
【発明の詳細な説明】
【技術分野】
【０００１】
本発明は、羽毛掛布団に関し、詳しくは、就寝者の首回りを含む身体へのフィット性の向上、寝返り時にも万全な保温性の確保を図った新規な羽毛掛布団に関するものである。
【背景技術】
【０００２】
一般に、羽毛等を充填した掛布団は、四角形の布袋に羽毛材等を入れ、生地と羽毛材等をキルティング加工により縫い合わせて構成される。
【０００３】
このような掛布団は、就寝時に身体に掛けたときに身体との密着性は必ずしも良好ではなく、また軽量であることから、寝返りにより身体の一部が露出したり、就寝者の肩部分では掛布団の縁部が浮き上がって肩が露出し肩冷えを生じる等の不都合な事態が多々生じる。
【０００４】
特許文献１には、掛布団の左右の両側部から掛布団の長さ方向の中心線に向かって内方に入り込むキルティングを施し、かつ、幅方向の中心線に向かって内方に入り込むキルティングを施し、内部に充填材を充填した構成からなるフィット性を向上させた掛布団の製造方法が提案されている。
【０００５】
特許文献２には、掛布団の頭側の部分の首があたる箇所に顔が入るＵ型の切れ込みを設けた肩冷え防止寝具が提案されている。
【０００６】
しかし、特許文献１、２とも、掛布団全体としては、布団各部の身体への密着度合いの程度や各部の重量配分を考慮したものではなく、就寝者の首回りを含む身体へのフィット性、寝返り時の保温性の点で必ずしも十分ではないと推定される。
【先行技術文献】
【特許文献】
【０００７】
【特許文献１】特許第３８０９８０９号公報
【特許文献２】実開平６−２９４６８号公報
【発明の概要】
【発明が解決しようとする課題】
【０００８】
本発明が解決しようとする問題点は、いずれの寝姿でも就寝者の首回りを含む身体へのフィット性及び保温性が良好であり、また、寝返り時にも万全な保温性を確保し得るような羽毛掛布団が存在しない点である。
【課題を解決するための手段】
【０００９】
本発明は、表生地、裏生地の周辺を縫結して袋状とし、内部に複数種の羽毛材からなる充填材を充填して全体として平面視長方形状を呈し、かつ、全体として膨らみを有するように構成した布団本体を具備する新規な羽毛掛布団であって、前記布団本体は、一端側の幅方向中央部に設けた就寝者の頭部が入り込むネック部と、前記ネック部の両側で、長さ方向全体にわたって設けた一対の中央縦キルト線により画されその内部にダウン羽毛からなる充填材を内蔵した縦長中央部と、前記一対の中央縦キルト線の幅方向における両側に各々一定の間隔を隔てて長さ方向全体にわたって設けた一対の側部縦キルト線により画されるとともにその内部にフェザー羽毛からなる充填材を内蔵し、前記縦長中央部の両側を占める一対の縦長側部と、前記側部縦キルト線と側辺部とにより画されとともにその内部にフェザー羽毛からなる充填材を内蔵し、前記一対の縦長側部の外側を占める一対の縦長側端部と、を有することを最も主要な特徴とする。
【発明の効果】
【００１０】
請求項１記載の発明によれば、布団本体にネック部を設けるとともに、この布団本体に、ダウン羽毛からなる充填材を内蔵した縦長中央部と、フェザー羽毛からなる充填材を内蔵し、前記縦長中央部の両側を占める一対の縦長側部と、フェザー羽毛からなる充填材を内蔵し、前記一対の縦長側部の外側を占める一対の縦長側端部とを設け、これらをキルト線で画した構成によって、就寝者の仰向け、横向き、更には寝返りのようないずれの寝姿においても、就寝者の首回りを含む身体へのフィット性及び保温性が良好であり、理想的な就寝環境を実現出切る新規な羽毛掛布団を実現し提供することができる。
【００１１】
請求項２記載の発明によれば、布団本体にＵ状又はＶ状ネック部を設けるとともに、この布団本体に、ダウン羽毛からなる充填材を内蔵し、一対の中央縦キルト線により画される縦長中央部と、フェザー羽毛からなる充填材を内蔵し、一対の側部縦キルト線により画され、前記縦長中央部の両側を占める一対の縦長側部と、フェザー羽毛からなる充填材を内蔵し、一対の側部縦キルト線、両長辺により画されて前記一対の縦長側部の外側を占める一対の縦長側端部とを設け、更に、両長辺部から両中央縦キルト線に至るように短辺方向に沿って、かつ、所定の間隔をもって複数本ずつ設けられ、前記両縦長側端部及び両縦長側部を長さ方向で各々複数箇所に分ける直線状キルト線と、短辺方向に向かって長辺から縦長側端部を経て縦長側部に入り込むように、かつ、長辺方向に所定の間隔をもって複数本ずつ設けた幅方向Ｕ状キルト線と、を設けた構成によって、就寝者の仰向け、横向き、更には寝返りのようないずれの寝姿においても、就寝者の首回りを含む身体へのフィット性及び保温性が良好であり、理想的な就寝環境を実現出切る新規な羽毛掛布団を実現し提供することができる。
【００１２】
請求項３記載の発明によれば、布団本体にＵ状又はＶ状ネック部を設けるとともに、この布団本体に、ホワイトダックダウン羽毛を主材とする充填材を内蔵し、一対の中央縦キルト線により画され、かつ、ネック部側から他方の短辺側に向けて入り込む３個のＵ状キルト線を設け４箇所に分けた縦長中央部と、前記一対の中央縦キルト線の幅方向の両側に各々一定の間隔を隔てて長さ方向全体にわたって設けた一対の側部縦キルト線により画されるとともにその内部にスモールフェザー羽毛を主材とする充填材を内蔵し、前記縦長中央部の両側を占める一対の縦長側部と、前記側部縦キルト線と側辺部とにより画されとともにその内部にスモールフェザー羽毛を主材とする充填材を内蔵し、前記一対の縦長側部の外側を占める一対の縦長側端部と、両長辺部から両中央縦キルト線に至るように短辺方向に沿って、かつ、所定の間隔をもって複数本ずつ設けられ、前記両縦長側端部及び両縦長側部を長さ方向で各々複数箇所に分ける直線状キルト線と、短辺方向に向かって長辺から縦長側端部を経て縦長側部に入り込むように、かつ、長辺方向に所定の間隔をもって複数本ずつ設けた幅方向Ｕ状キルト線と、を設けた構成によって、就寝者の仰向け、横向き、更には寝返りのようないずれの寝姿においても、就寝者の首回りを含む身体へのフィット性及び保温性が良好であり、理想的な就寝環境を実現出切る新規な羽毛掛布団を実現し提供することができる。
【図面の簡単な説明】
【００１３】
【図１】図１は本発明の実施例に係る羽毛掛布団の概略平面図である。
【図２】図２は本実施例に係る羽毛掛布団の概略斜視図である。
【図３】図３は図１のＡ−Ａ線概略拡大断面図である。
【図４】図４は本実施例に係る羽毛掛布団の各キルト線を示す説明図である。
【図５】図５は本実施例に係る羽毛掛布団の折曲状態を示す説明図である。
【図６】図６は本実施例に係る羽毛掛布団の使用態様（就寝者仰向け状態）を示す概略説明図である。
【図７】図７は本実施例に係る羽毛掛布団の使用態様（就寝者横向き状態）を示す概略説明図である。
【発明を実施するための形態】
【００１４】
本発明は、いずれの寝姿でも就寝者の首回りを含む身体へのフィット性及び保温性が良好であり、また、寝返り時にも万全な保温性を確保し得るような新規な羽毛掛布団を実現し提供するという目的を、表生地、裏生地の周辺を縫結して袋状とし、内部に複数種の羽毛材からなる充填材を充填して全体として平面視長方形状を呈し、かつ、全体として膨らみを有するように構成した布団本体を具備する新規な羽毛掛布団であって、前記布団本体は、一端側の幅方向中央部に設けた就寝者の頭部が入り込むＵ状又はＶ状のネック部と、前記ネック部の両側で、長さ方向全体にわたって設けた一対の中央縦キルト線により画されその内部にホワイトダックダウン羽毛を主材とする充填材を内蔵するとともに、前記ネック部側から他方の短辺側に向けて入り込む３個のＵ状キルト線を設け４箇所に分けた縦長中央部と、前記一対の中央縦キルト線の幅方向における両側に各々一定の間隔を隔てて長さ方向全体にわたって設けた一対の側部縦キルト線により画されるとともにその内部にスモールフェザー羽毛を主材とする充填材を内蔵し、前記縦長中央部の両側を占める一対の縦長側部と、前記側部縦キルト線と側辺部とにより画されとともにその内部にスモールフェザー羽毛を主材とする充填材を内蔵し、前記一対の縦長側部の外側を占める一対の縦長側端部と、前記布団本体の両長辺部から両中央縦キルト線に至るように短辺方向に沿って、かつ、所定の間隔をもって４本ずつ設けられ、前記両縦長側端部及び両縦長側部を長さ方向で各々５箇所に分ける直線状キルト線と、前記布団本体の短辺方向に向かって長辺から縦長側端部を経て縦長側部に入り込むように、かつ、長辺方向に所定の間隔をもって７本ずつ設けた前記縦長中央部両側の幅方向Ｕ状キルト線と、を有する構成により実現した。
【実施例】
【００１５】
以下、本発明の実施例に係る新規な羽毛掛布団について、図１乃至図３を参照して詳細に説明する。
【００１６】
本実施例に係る新規な羽毛掛布団１は、図１乃至図３に示すように、全体として平面視長方形状を呈する布団本体２を具備し、この布団本体２の一端側の幅方向（短辺方向）中央部には、就寝者Ｍの頭部が入り込み、かつ、首回りの形状に合わせたＵ状（又はＶ状）のネック部３を設けている。
【００１７】
前記布団本体２は、表生地７として例えば綿１００％からなる無地材を、裏生地８として例えば綿１００％からなる無地材を使用し、その周辺を縫結して袋状とし、内部に詳細は後述する複数種の充填材を充填して全体として平面視長方形状を呈し、かつ、全体として膨らみを有するように構成している。
【００１８】
前記布団本体２のサイズとしては、例えば幅１５０×長さ２１０ｃｍのシングルサイズ、幅１５０×長さ２３０ｃｍのシングルロングサイズ等の例を挙げることができる。
【００１９】
以下、前記布団本体２の構成について詳述する。
前記布団本体２は、長さ方向の中心線に関して左右対称に、かつ、ネック部３の両側に一対の中央縦キルト線１１ａ、１１ｂを長さ方向全体にわたって設けるとともに、その内部に充填材２１を内蔵し、一対の中央縦キルト線１１ａ、１１ｂにより画される縦長領域を縦長中央部４としている。
【００２０】
前記縦長中央部４には、更に、前記ネック部３側から他方の短辺側に向けて入り込む３個のＵ状キルト線１３ａ、１３ｂ、１３ｃを所定の間隔をもって設け、これにより、前記縦長中央部４を長さ方向で４箇所に分けるように構成している。
【００２１】
前記一対の中央縦キルト線１１ａ、１１ｂの幅方向の両側には、各々一定の間隔を隔て、一対の側部縦キルト線１２ａ、１２ｂを長さ方向全体にわたって設けるとともに、前記中央縦キルト線１１ａと、前記側部縦キルト線１２ａとにより画される縦長領域、及び前記中央縦キルト線１１ｂと、前記側部縦キルト線１２ｂとにより画される縦長領域をその内部に各々充填材２２を内蔵する縦長側部５ａ、５ｂとしている。また、前記側部縦キルト線１２ａと一方の側辺部（長辺部）とにわたる縦長領域をその内部に充填材２３を内蔵する縦長側端部６ａとし、前記側部縦キルト線１２ｂと他方の側辺部（長辺部）とにわたる縦長領域をその内部に充填材２３を内蔵する縦長側端部６ｂとしている。
【００２２】
本実施例に係る新規な羽毛掛布団１は、更に、一方の側辺部（長辺部）から一方の中央縦キルト線１１ａに至る直線状キルト線１４を短辺方向に沿って、かつ、所定の間隔をもって４本ずつ設け、前記縦長側端部６ａ及び縦長側部５ａを長さ方向で５箇所に分けるように構成している。
【００２３】
同様に、他方の側辺部（長辺部）から他方の中央縦キルト線１１ｂに至る直線状キルト線１４を短辺方向に沿って、かつ、所定の間隔をもって４本ずつ設け、前記縦長側端部６ｂ及び縦長側部５ｂを長さ方向で５箇所に分けるように構成している。
【００２４】
また、一方の縦長側端部６ａから縦長側部５ａにわたって入り込む幅方向Ｕ状キルト線１５を長さ方向に所定の間隔で７個設け、同様に他方の縦長側端部６ｂから縦長側部５ｂにわたって入り込む幅方向Ｕ状キルト線１５を長さ方向に所定の間隔で７個設けている。
【００２５】
前記一対の中央縦キルト線１１ａ、１１ｂは、図５に示すように、就寝者Ｍの就寝中の身体に応じて縦長中央部４と縦長側部５ａ間、縦長中央部４と縦長側部５ｂ間を各々曲折状態として膨らんだ状態となり、前記Ｕ状キルト線１３ａ、１３ｂ、１３ｃは、就寝者Ｍの身体各部位の高さ（敷布団からの高さ）の違いに応じて縦長中央部４の各部を曲折状態となり身体各部位の回りに対応する部分をフィットさせるものである。
【００２６】
また、縦長側部５ａ、５ｂは、就寝者Ｍの就寝中における縦長中央部４の盛り上がりに応じて就寝者Ｍの身体の両側部側で一対の側部縦キルト線１２ａ、１２ｂの曲折に応じて各々就寝者Ｍの身体の両側部にフィットするように盛り上がる状態となる。
【００２７】
このとき、前記縦長側端部６ａ、縦長側端部６ｂは、一対の側部縦キルト線１２ａ、１２ｂを境として前記縦長側部５ａ、５ｂが各々盛り上がっても、殆ど位置ずれが生じることなく、布団本体２が敷かれた状態のままの位置に止どまる。
【００２８】
前記各直線状キルト線１４、及び各幅方向Ｕ状キルト線１５は、前記縦長側部５ａ、５ｂ各部の変位に対応した当該前記縦長側部５ａ、５ｂ各部、及び前記縦長側端部６ａ、縦長側端部６ｂの曲折状態を実現するものである。
【００２９】
このような一対の中央縦キルト線１１ａ、１１ｂ、Ｕ状キルト線１３ａ、１３ｂ、１３ｃ、一対の側部縦キルト線１２ａ、１２ｂ、各直線状キルト線１４及び各幅方向Ｕ状キルト線１５の作用によって、前記布団本体２全体として就寝者Ｍの仰向け状態、寝返り状態、横向き状態等、各態様のいずれの寝姿にも対応して就寝者Ｍ身体各部への良好なフィット性を確保するものである。
【００３０】
次に、本実施例における前記充填材２１乃至２３について説明する。
【００３１】
説明の便宜上、本実施例の新規な羽毛掛布団１において、図２、図４に示すように、前記縦長中央部４において前記Ｕ状キルト線１３ａ、１３ｂ、１３ｃ及び他方の短辺で画される３箇所の領域をＡ部、Ｂ部、Ｃ部とし、また、前記縦長側部５ａ、５ｂを各々Ｄ部とし、前記縦長側端部６ａ、６ｂを各々Ｅ部として以下の説明を行う。
【００３２】
本実施例において、Ａ部乃至Ｃ部内の充填材２１としては、各々例えばホワイトダックダウンと、フェザーとを用いるものである。このホワイトダックダウンは、ハンガーダウン（羽毛同士を良く絡ませ空気の流動を抑えたもの）仕様としている。
【００３３】
この内、前記布団本体２がシングルサイズの場合、Ａ部内の充填材２１は、ホワイトダックダウン９５％、フェザー５％の割合で総重量１６０ｇとし、Ｂ部内の充填材２１は、ホワイトダックダウン８５％、フェザー１５％の割合で総重量１６０ｇとし、Ｃ部内の充填材２１は、同じくホワイトダックダウン８５％、フェザー１５％の割合で総重量１９０ｇとするものである。
【００３４】
また、前記縦長中央部４におけるネック部３とＡ部との間の領域内にもホワイトダックダウンと、フェザーとを用いた充填材２１を内蔵している。
【００３５】
更に、Ｄ部内の充填材２２は、スモールフェザー４ｃｍ以下のもの３１０ｇとし、Ｅ部内の充填材２３は、同じくスモールフェザー４ｃｍ以下のもの３１０ｇとするものである。
【００３６】
ここに、ダウンは、鳥の胸部の密生しているふわふわとした毛であり、フェザーは鳥の腹部に生えている羽軸を持つ柔らかい小羽根である。
【００３７】
なお、本実施例に係る新規な羽毛掛布団１は、図示していないが、布団本体２全体を覆う全体カバーを付加した構成や、ネック部３の周辺部を覆う襟元カバーを付加した構成とすることも可能である。
【００３８】
次に、本実施例に係る新規な羽毛掛布団１の使用態様及び効果について、図６、図７をも参照して説明する。
【００３９】
上述した構成からなる本実施例に係る新規な羽毛掛布団１によれば、就寝者Ｍが図６に示すように仰向けで寝ていても、また、図７に示すように横向きに寝ていてもその寝姿に合わせて既述したような一対の中央縦キルト線１１ａ、１１ｂ、Ｕ状キルト線１３ａ、１３ｂ、１３ｃ、一対の側部縦キルト線１２ａ、１２ｂ、各直線状キルト線１４及び各幅方向Ｕ状キルト線１５の折曲作用によって前記布団本体２の各部が就寝者Ｍの身体の回りにぴったりとフィットし、かつ、前記縦長側端部６ａ、縦長側端部６ｂが位置ずれを生じない理想的な就寝環境を実現することができる。なお、図６、図７中、９は枕、１０は敷き布団である。
【００４０】
すなわち、就寝者Ｍの就寝状態において、その頭部を除いた身体の回りに空気を取り込んで逃がさず冬季でも暖かい快適な就寝環境を実現することができる。
【００４１】
更に詳述すると、本実施例に係る新規な羽毛掛布団１は、前記布団本体２に就寝者Ｍの頭部が入り込むＵ状のネック部３を設けるとともに、前記布団本体２を、就寝者Ｍの身体が多く接する縦長中央部４、就寝者Ｍの身体があまり接しない縦長側部５ａ、５ｂ及び就寝者Ｍの身体が殆ど接しない縦長側端部６ａ、６ｂに分けて構成している。
【００４２】
そして、前記縦長中央部４内には、高級な空気を取り込んで逃がさないハンガーダウン仕様のホワイトダックダウンを用いた充填材２１を充填し、縦長中央部４より外側の縦長側部５ａ、５ｂ及び縦長側端部６ａ、６ｂ内には暖かい空気を逃さない少し重めのスモールフェザーを用いた充填材２２及び充填材２３を充填したものである。
【００４３】
これにより、就寝者Ｍが横向きに寝ていてもその身体に合わせて布団本体２の縦長中央部４や縦長側部５ａ、５ｂが就寝者Ｍの身体の回りを囲むようにフィットし、かつ、最も外側の縦長側端部６ａ、６ｂは殆ど位置ずれが無く、全体として空気を取り込んで逃がさず冬季でも暖かく保湿性も良好である快適な就寝環境を実現するものである。
【００４４】
また、本実施例に係る新規な羽毛掛布団１によれば、布団本体２にネック部３を設けているため、就寝中において就寝者Ｍの肩部分は、ネック部３の周辺における布団本体２の短辺領域により確実に覆われる状態となることから、就寝者Ｍの肩部分が露出して冷やされるという不都合な状態を無くすことができ、この点からも快適な就寝環境を実現することができる。
【００４５】
更に、就寝者Ｍが寝返りを行う場合においても、上述した場合と同様にして、その身体に合わせて布団本体２の縦長中央部４や縦長側部５ａ、５ｂが就寝者Ｍの身体の回りを囲むようにフィットし、かつ、最も外側の縦長側端部６ａ、６ｂは殆ど位置ずれが無く、全体として空気を取り込んで逃がさない状態を実現できる。
【００４６】
このような作用、効果は、布団本体２をシングルサイズとした場合、布団本体２をシングルロングサイズとした場合において共通である。
【産業上の利用可能性】
【００４７】
本発明の新規な羽毛掛布団は、シングルサイズ、シングルロングサイズに限らず、シングルサイズよりも更に小さい子供用サイズとすることもでき、また、家庭用に限らずホテル、旅館等の宿泊施設における就寝用としたり、病院等における入院患者の就寝用とするなど広範な分野に適用可能である。
【符号の説明】
【００４８】
１    羽毛掛布団
２    布団本体
３    ネック部
４    縦長中央部
５ａ  縦長側部
５ｂ  縦長側部
６ａ  縦長側端部
６ｂ  縦長側端部
７    表生地
８    裏生地
９    枕
１０    敷き布団
１１ａ  中央縦キルト線
１１ｂ  中央縦キルト線
１２ａ  側部縦キルト線
１２ｂ  側部縦キルト線
１３ａ  Ｕ状キルト線
１３ｂ  Ｕ状キルト線
１３ｃ  Ｕ状キルト線
１４    直線状キルト線
１５    幅方向Ｕ状キルト線
２１    充填材
２２    充填材
２３    充填材
Ｍ    就寝者
【図１】
2011130919.tif 000003
【図２】
2011130919.tif 000004
【図３】
2011130919.tif 000005
【図４】
2011130919.tif 000006
【図５】
2011130919.tif 000007
【図６】
2011130919.tif 000008
【図７】
2011130919.tif 000009